【事件の表示】
　特許第３２６９０５５号「画像合成撮影装置」の請求項１、２に係る特許に対する特許異議の申立てについて、次のとおり決定する。
【結　論】
　訂正を認める。
　特許第３２６９０５５号の請求項１に係る特許を維持する。
【理　由】
１． 手続の経緯
　特許第３２６９０５５号の請求項１に係る発明は、特願平３―１４９７３１号の分割出願（遡及出願日平成３年５月２４日）であって、平成１４年１月１８日にその特許権の設定登録がなされ、その後、佐藤勝明より特許異議の申立てがなされ、取消しの理由が通知され、その指定期間内である平成１５年１月２４日に訂正請求がなされたものである。
　
２． 訂正の適否についての判断
（１） 訂正の内容
ア． 訂正事項ａ
　特許明細書中の発明の名称である「画像合成撮影装置」を、「画像合成撮影可能な電子カメラ装置」と訂正する。
イ． 訂正事項ｂ
　特許明細書中の請求項１の「少なくとも上記一の画像信号を順次記録し」の後に、「、上記記録を予定した合成表示画像全体の構成要素たる各画像に対応する画像信号を着脱可能な記録媒体に記録するに際し、各画像を合成して表示するときに合成表示画像全体における位置を設定するための情報を合わせ記録する」を挿入する。
ウ．訂正事項ｃ
　特許明細書中の請求項１の「画像合成撮影装置」を、「画像合成撮影可能な電子カメラ装置」と訂正する。
エ．訂正事項ｄ
　特許明細書中の請求項２を削除する。
オ．訂正事項ｅ
　特許明細書中の段落【０００１】の「【産業上の利用分野】本発明は、画像合成撮影装置に関し、特に撮影システムにおける複数枚画面のつなぎ撮り処理に有効な画像合成撮影装置及び再生装置に関する。」を「【産業上の利用分野】本発明は、画像合成撮影可能な電子カメラ装置に関し、特に撮影システムにおける複数枚画面のつなぎ撮り処理に有効な画像合成撮影可能な電子カメラ装置及び再生装置に関する。」と訂正する。
カ．訂正事項ｆ
　特許明細書中の段落【０００６】の「画像合成撮影装置」を「画像合成撮影可能な電子カメラ装置」と訂正する。
キ．訂正事項ｇ
　特許明細書中の段落【０００７】の「【課題を解決するための手段】前述の課題を解決するため、本発明による画像合成撮影装置は、当該カメラが現に向けられている視野に係わる一の画像信号による画像と、先行して記録されたものを再生して得た他の画像信号による画像とを、所定の電子的モニター手段の同一画面上の一部及び他部にてそれぞれ映出、対照しつつ、少なくとも上記一の画像信号を順次記録し得るように構成された画像合成撮影装置であって、上記記録を予定した画像全体の構成要素たる各画素のそれらに係わる各撮影条件が実質的に等価なものとなるべく、上記構成要素たる各画像の順次の記録の課程では当該カメラの撮影条件に係わる設定を一定にする手段を有するように構成されている。ここで、上記手段は、露出、ズーム、フォーカス、カラーバランス特性、感度及びγ特性のうち少なくとも１つの設定を一定にするように構成されている。」を、「【課題を解決するための手段】前述の課題を解決するため、本発明による画像合成撮影可能な電子カメラ装置は、当該カメラが現に向けられている視野に係わる一の画像信号による画像と、先行して記録されたものを再生して得た他の画像信号による画像とを、所定の電子的モニター手段の同一画面上の一部及び他部にてそれぞれ映出、対照しつつ、少なくとも上記一の画像信号を順次記録し、上記記録を予定した合成表示画像全体の構成要素たる各画像に対応する画像信号を着脱可能な記録媒体に記録するに際し、各画像を合成して表示するときに合成表示画像全体における位置を設定するための情報を合わせ記録するように構成された画像合成撮影可能な電子カメラ装置であって、上記記録を予定した画像全体の構成要素たる各画素のそれらに係わる各撮影条件が実質的に等価なものとなるべく、上記構成要素たる各画像の順次の記録の課程では当該カメラの撮影条件に係わる設定を一定にする手段を有するように構成されている。」
ク．訂正事項ｈ
　特許明細書中の段落【０００９】の「画像合成撮影装置」を「画像合成撮影可能な電子カメラ装置」と訂正する。
ケ．訂正事項ｉ
　特許明細書中の段落【００１９】の「【発明の効果】以上説明したように、本発明による画像合成撮影装置は、合成画像の各画像の撮影条件を一定に設定しているので、合成すべく各画像を容易に対照しながら撮影でき、均一で高画質な合成画像を得ることができる。」を、「【発明の効果】以上説明したように、本発明による画像合成撮影可能な電子カメラ装置は、合成画像の各画像の撮影条件を一定に設定し、記録を予定した合成表示画像全体の構成要素たる各画像に対応する画像信号を着脱可能な記録媒体に記録するに際し、各画像を合成して表示するときに合成表示画像全体における位置を設定するための情報を合わせ記録するようにしているので、合成すべく各画像を容易に対照しながら撮影でき、均一で高画質な合成画像を得ることができるとともに各画像を合成表示する機能を有する他の装置に、該記録媒体を装着して使用する場合でも良好な合成表示画像を得ることができる。」と訂正する。
コ．訂正事項ｊ
　特許明細書中の【図面の簡単な説明】の項目中「【図１】本発明による画像合成装置の一実施例を示すブロック図である。」を、「【図１】本発明による画像合成撮影可能な電子カメラ装置の一実施例を示すブロック図である。」
　
（２） 訂正の目的の適否、新規事項の有無及び拡張・変更の存否
　上記訂正事項ａ，ｅ，ｆは、特許請求の範囲の記載と願書に添付された明細書の特許請求の範囲以外に記載された事項との整合をとるための訂正であり、しかも、上記明細書の段落【０００９】に記載されているから、明りょうでない記載の釈明を目的とした明細書の訂正に該当し、
　上記訂正事項ｂ、ｃは、結局、発明を特定する事項である「記録し得るように構成された画像合成撮影装置」をこれに含まれる事項である「記録し、上記記録を予定した合成表示画像全体の構成要素たる各画像に対応する画像信号を着脱可能な記録媒体に記録するに際し、各画像を合成して表示するときに合成表示画像全体における位置を設定するための情報を合わせ記録するように構成された画像合成撮影可能な電子カメラ装置」（以下Ａという）に変更し、しかも、上記Ａについては、願書に添付された明細書の段落【０００９】乃至【００１２】及び【００１６】に記載されているから、特許請求の範囲の減縮を目的とした明細書の訂正に該当し、
　上記訂正事項ｄは、請求項２を削除するものであるから、特許請求の範囲の減縮を目的とした明細書の訂正に該当し、
　上記訂正事項ｇは、上記訂正事項ｂ、ｃと整合を図るものであるから、明りょうでない記載の釈明を目的とした明細書の訂正に該当し、
　上記訂正事項ｈ，ｊは、上記訂正事項ｃと整合を図るものであるから、明りょうでない記載の釈明を目的とした明細書の訂正に該当し、
　上記訂正事項ｉは、上記訂正事項ｂ、ｃと整合を図るものであり、しかも、願書に添付された明細書の段落【０００９】乃至【００１２】及び【００１６】に記載されているから、明りょうでない記載の釈明を目的とした明細書の訂正に該当し、
　いずれも、新規事項の追加に該当せず、実質的に特許請求の範囲を拡張又は変更するものではない。
　
（３） むすび
　したがって、上記訂正は、特許法第１２０条の４第３項において準用する平成６年法律第１１６号による改正前の特許法第１２６条第１項ただし書き、第２項および第３項の規定に適合するので、当該訂正を認める。
　
３． 特許異議申立てについての判断
（１） 申立ての理由の概要
　申立人佐藤勝明は、請求項１に係る発明は、甲第１号証（特開平２−１７８６４６号公報）、甲第２号証（特公平３−１９５３１号公報）をもとに容易に発明をすることができたものであり、特許法第２９条第２項の規定により、特許を受けることができないものであるから、特許を取り消すべきと主張している。
　
（２） 本件の請求項１に係る発明
　上記２．で示したように上記訂正が認められるから、本件の請求項１に係る発明（以下、「本件発明」という。）は、上記訂正請求に係る訂正明細書の特許請求の範囲の請求項１に記載された事項により特定される次のとおりのものである。
「当該カメラが現に向けられている視野に係わる一の画像信号による画像と、先行して記録されたものを再生して得た他の画像信号による画像とを、所定の電子的モニター手段の同一画面上の一部及び他部にてそれぞれ映出、対照しつつ、少なくとも上記一の画像信号を順次記録し、上記記録を予定した合成表示画像全体の構成要素たる各画像に対応する画像信号を着脱可能な記録媒体に記録するに際し、各画像を合成して表示するときに合成表示画像全体における位置を設定するための情報を合わせ記録するように構成された画像合成撮影可能な電子カメラ装置であって、上記記録を予定した画像全体の構成要素たる各画素のそれらに係わる各撮影条件が実質的に等価なものとなるべく、上記構成要素たる各画像の順次の記録の課程では当該カメラの撮影条件に係わる設定を一定にする手段を有することを特徴とする画像合成撮影可能な電子カメラ装置。」
　
（３） 刊行物等
　特許異議申立人が証拠として提示した刊行物には、それぞれ、以下のような発明が記載されている。
刊行物１：特開平２−１７８６４６号公報（甲第１号証）
　これには、既に撮影した前画面とこれから撮影する現画面をパノラマ状に表示するようにして、所望のパノラマ撮影がきわめて容易に且つ確実に行えるようにしたパノラマ撮影装置について記載されている。
刊行物２：特公平３−１９５３１号公報（甲第２号証）
　これには、撮影条件の厳しい同一性が要求されるパノラマ撮影時、同一の露光条件で一連の撮影動作が行われるようにしたカメラの露出制御装置が記載されている。
　
（４） 対比・判断
　本件発明と上記刊行物１及び２に記載の発明とを対比すると、両刊行物に記載の発明は、本件発明を特定する事項である、「記録を予定した合成表示画像全体の構成要素たる各画像に対応する画像信号を着脱可能な記録媒体に記録するに際し、各画像を合成して表示するときに合成表示画像全体における位置を設定するための情報を合わせ記録するように構成された画像合成撮影可能な電子カメラ装置」である点を備えておらず、当該事項により本件発明は、「合成すべく各画像を容易に対照しながら撮影でき、均一で高画質な合成画像を得ることができるとともに各画像を合成表示する機能を有する他の装置に、該記録媒体を装着して使用する場合でも良好な合成表示画像を得ることができる」という顕著な効果を奏するのであり、本件発明が上記刊行物１及び２に記載のものから容易に発明をすることができたものとはいえない。
　
（５） 申立人の主張
　申立人の主張は、本件請求項１の発明と甲第１号証に記載された発明とは、「当該カメラが現に向けられている視野に係わる一の画像信号による画像と、先行して記録されたものを再生して得た他の画像信号による画像とを、所定の電子的モニター手段の同一画面上の一部及び他部にてそれぞれ映出、対照しつつ、少なくとも上記一の画像信号を順次記録し得るように構成された画像合成撮影装置」である点で一致するというものである。
　しかしながら、（４）で検討したとおり、甲第１号証に記載された発明は本件請求項１の発明の上記構成要件を備えていないので、当該主張を採用することができない。
　
（６） むすび
　以上のとおりであるから、特許異議申立ての理由及び証拠によっては、本件請求項１に係る特許を取り消すことができない。
　また、他に本件請求項１に係る特許を取り消すべき理由を発見しない。
　したがって、本件発明についての特許は拒絶の査定をしなければならない特許出願に対してされたものと認めない。
　よって、結論のとおり決定する。
【異議決定日】
平成１５年２月２８日（２００３．２．２８）
【訂正の要旨】
ａ．特許明細書中の発明の名称である「画像合成撮影装置」を、明りょうでない記載の釈明を目的として「画像合成撮影
可能な電子カメラ
ｂ．特許明細書中の請求項１の「少なくとも上記一の画像信号を順次記録し」の後に、特許請求の範囲の減縮を目的として「
、上記記録を予定した合成表示画像全体の構成要素たる各画像に対応する画像信号を着脱可能な記録媒体に記録するに際し、各画像を合成して表示するときに合成表示画像全体における位置を設定するための情報を合わせ記録する
ｃ．特許明細書中の請求項１の「画像合成撮影装置」を、特許請求の範囲の減縮を目的として「画像合成撮影
可能な電子カメラ
ｄ．特許明細書中の請求項２を特許請求の範囲の減縮を目的として削除する。
ｅ．特許明細書中の段落【０００１】の「【産業上の利用分野】本発明は、画像合成撮影装置に関し、特に撮影システムにおける複数枚画面のつなぎ撮り処理に有効な画像合成撮影装置及び再生装置に関する。」を、明りょうでない記載の釈明を目的として「【産業上の利用分野】本発明は、画像合成撮影
可能な電子カメラ
可能な電子カメラ
ｆ．特許明細書中の段落【０００６】の「画像合成撮影装置」を、明りょうでない記載の釈明を目的として「画像合成撮影
可能な電子カメラ
ｇ．特許明細書中の段落【０００７】の「【課題を解決するための手段】前述の課題を解決するため、本発明による画像合成撮影装置は、当該カメラが現に向けられている視野に係わる一の画像信号による画像と、先行して記録されたものを再生して得た他の画像信号による画像とを、所定の電子的モニター手段の同一画面上の一部及び他部にてそれぞれ映出、対照しつつ、少なくとも上記一の画像信号を順次記録し得るように構成された画像合成撮影装置であって、上記記録を予定した画像全体の構成要素たる各画像のそれらに係わる各撮影条件が実質的に等価なものとなるべく、上記構成要素たる各画像の順次の記録の過程では当該カメラの撮影条件に係わる設定を一定にする手段を有するように構成されている。ここで、上記手段は、露出、ズーム、フォーカス、カラーバランス特性、感度及びγ特性のうち少なくとも１つの設定を一定にするように構成されている。」を、明りょうでない記載の釈明を目的として「【課題を解決するための手段】前述の課題を解決するため、本発明による画像合成
撮影可能な電子カメラ
、上記記録を予定した合成表示画像全体の構成要素たる各画像に対応する画像信号を着脱可能な記録媒体に記録するに際し、各画像を合成して表示するときに合成表示画像全体における位置を設定するための情報を合わせ記録する
可能な電子カメラ
ｈ．特許明細書中の段落【０００９】の「画像合成装置」を、明りょうでない記載の釈明を目的として「画像合成
撮影可能な電子カメラ
ｉ．特許明細書中の段落【００１９】の「【発明の効果】以上説明したように、本発明による画像合成撮影装置は、合成画像の各画像の撮影条件を一定に設定しているので、合成すべく各画像を容易に対照しながら撮影でき、均一で高画質な合成画像を得ることができる。」を、明りょうでない記載の釈明を目的として「【発明の効果】以上説明したように、本発明による
画像合成
可能な電子カメラ
、記録を予定した合成表示画像全体の構成要素たる各画像に対応する画像信号を着脱可能な記録媒体に記録するに際し、各画像を合成して表示するときに合成表示画像全体における位置を設定するための情報を合わせ記録するように
とともに各画像を合成表示する機能を有する他の装置に、該記録媒体を装着して使用する場合でも良好な合成表示画像を得ることができる。
ｊ．特許明細書中の【図面の簡単な説明】の項目中「【図１】本発明による画像合成装置の一実施例を示すブロック図である。」を、明りょうでない記載の釈明を目的として「【図１】本発明による画像合成
撮影可能な電子カメラ
（５４）【発明の名称】
画像合成撮影
可能な電子カメラ
（５７）【特許請求の範囲】
　【請求項１】当該カメラが現に向けられている視野に係わる一の画像信号による画像と、先行して記録されたものを再生して得た他の画像信号による画像とを、所定の電子的モニター手段の同一画面上の一部及び他部にてそれぞれ映出、対照しつつ、少なくとも上記一の画像信号を順次記録し
、上記記録を予定した合成表示画像全体の構成要素たる各画像に対応する画像信号を着脱可能な記録媒体に記録するに際し、各画像を合成して表示するときに合成表示画像全体における位置を設定するための情報を合わせ記録する
可能な電子カメラ
上記記録を予定した画像全体の構成要素たる各画像のそれらに係わる各撮影条件が実質的に等価なものとなるべく、上記構成要素たる各画像の順次の記録の過程では当該カメラの撮影条件に係わる設定を一定にする手段を有することを特徴とする画像合成
可能な電子カメラ
【発明の詳細な説明】
　【０００１】
　【産業上の利用分野】本発明は、画像合成撮影
可能な電子カメラ
可能な電子カメラ
　【０００２】
　【従来の技術】カメラ等において、１回の撮影で得られる画面を複数枚並べて合成し、一枚の画面として構成するつなぎ撮りは、パノラマ撮影画面やマルチ画面生成の手段として使用されることが多い。かかるつなぎ撮り処理は、一般に、銀塩フィルムを用いた通常のカメラで行われているものであるが、これを電子スチルカメラやビデオカメラのような電子撮像装置を用いて行うことが考えられる。すなわち、つなぎ撮り処理は、高解像度、高画質画面を得るためのハイビジョンおよびパノラマ画面生成用としても使われることができる。以下、この様な技術がなぜ必要になるかについて説明する。上述のような電子撮像装置では、画像信号を得るため、例えばＣＣＤ等の撮像素子を用いているが、その光電変換面は、通常、数十万個の画素配列からなっている。数十万画素の撮像素子は現在比較的容易に製造でき価格も高価なものではなく、「ＮＴＳＣ」や「ＰＡＬ」規格に適合するものが広く普及、採用されている。
　【０００３】ところが、数十万画素の撮像素子では、得られる画像の画質は前述の「ＮＴＳＣ」等の規格に対しては一応満足できるものであるが、さらなる高画質を実現すべく作られたハイビジョン用としては解像力が不足しており、かかる高画質画像を得るためには、少なくとも数百万画素程度が要求される。この事情はハイビジョンシステムに限らず、例えば印刷分野や画像処理分野に適用する高画質画像入力装置として利用しようとする場合も同様である。しかし、画素数が多くなると撮像素子の歩留まりが極端に低くなるだけでなく、光学系、機構系および電気系が複雑となるため、このような撮像システムは極めて高価なものになってしまい、現実に特殊な業務用以外では使用されていない。また、撮像素子を横に隣り合わせに並べるいわゆる多板式撮像システムも高画質画像を得るために用いられるが、光学系が複雑となることもあって同様に高価となるという問題だけでなく、感度面の問題も生ずる。更に、これらシステムは、一般ユーザが使っているＮＴＳＣ系等の通常システムとの互換性がないという問題がある。そこで、つなぎ撮り処理を用いて一枚の画像を複数枚の画面を合成して構成することにより、等価的に高画質画像を得る技術が必要になる。つなぎ撮り処理は、例えば銀塩フィルムカメラでは、１つの被写体を複数枚の画面に分けて撮影した後、現像処理された画面のうち、隣り合う画面が連続するように適当に切り貼りするものである。ここで切り貼りについて説明する。互いに隣接する各画面を撮影する方法としては、ビューファインダーで被写体にねらいをつけながら、いわゆる「目見当（めけんとう）」でシャッタを切る他はないので、結果として得られる各隣接画面のつなぎ目は、通常、不正確（ぴったり合っていない）ものになる。従って、それを合わせるために、でき合がった各ネガまたはプリントを実際に切って貼り合わせる操作が必要になるのである。
　【０００４】図９の（Ａ）には、つなぎ撮りの一例が示されている。この例は、一回の撮影画面を縦方向および横方向にそれぞれ３枚ずつ合計９枚並べて得られるマルチ画面であり、全画面を数十万画素の１つの撮像素子で撮像しようとすると解像度が大幅に不足するのに対して、このように各画面を合成すれば、等価的に高解像度の画像が得られる。ここで、各画面は、Ｘ方向およびＹ方向座標位置に対応する表示形式として、図のように左上から右上に向かって（１，１）、（１，２）、（１，３）、また左上から左下に向かって（１，１）、（２，１）、（３，１）のように表示される。また、同図（Ｂ）には、３枚の画面を横方向に並べたパノラマ画面例が示され、この場合も同様に解像度の高い画像が得られる。そして、各画面は、位置情報として（１，１）、（１，２）、（１，３）のように表される。このような装置として特開平２−１７８６４６号公報には、現在の画像と既に記録された過去の画像とを電子ビューファインダに同時に表示させて、パノラマ撮影する撮影装置が開示されている。
　【０００５】
　【発明が解決しようとする課題】複数の画像をつなぎ撮りする場合、各画像の撮影条件が異なると合成画像を再生したとき、例えば一部分が暗くなったりして、全体的に不自然さが生じる。また、従来のように、現在の画像と過去に記録された画像とを表示させて撮影を行う際に、撮影条件が異なることで合成するための各画像間の比較作業がしにくくなる。更には、撮影条件として例えば画角等が異なれば各画像を合成すること自体困難になる。一方、カメラの連写時には撮影条件を一定にして、連写撮影後に一連の画像を再生するときに見やすくするものがある。しかしながら、従来のような装置における画像を合成すべく現在の画像と過去に記録された画像とを表示させて撮影を行う際の上記不具合対策については、なんら提案されていなかった。
　【０００６】本発明の目的は、合成すべく各画像を容易に対照しながら撮影でき、均一で高画質な合成画像を得ることができる画像合成撮影
可能な電子カメラ
　【０００７】
　【課題を解決するための手段】前述の課題を解決するため、本発明による画像合成
撮影可能な電子カメラ
、上記記録を予定した合成表示画像全体の構成要素たる各画像に対応する画像信号を着脱可能な記録媒体に記録するに際し、各画像を合成して表示するときに合成表示画像全体における位置を設定するための情報を合わせ記録する
可能な電子カメラ
　【０００８】
　【作用】本発明では、上述の如く、記録を予定した画像全体の構成要素たる各画像のそれらに係わる各撮影条件が実質的に等価なものとなるように、構成要素たる各画像の順次の記録の過程では当該カメラの撮影条件に係わる設定を一定にしている。
　【０００９】
　【実施例】次に、本発明について図面を参照しながら説明する。図１は、本発明による画像合成
撮影可能な電子カメラ
　【００１０】図１を参照すると、撮像回路２にはＣＣＤ等の撮像素子が内蔵され、撮影レンズ１を介して撮像素子に結像され、電気信号に変換された信号は、所定の映像処理が施されて画像信号としてＡ／Ｄコンバータ３に送出される。Ａ／Ｄコンバータ３でデジタル信号に変換された画像データは、バッファメモリ４に記憶される。バッファメモリ４から読み出された画像データは、システムコントローラ５の制御を受けて、バッファメモリ７、記録／再生回路８を介して記録媒体９に書き込まれる。記録媒体９としては、例えばＩＣカードメモリ等が用いられるが、アナログ信号として記録される磁気ディスク等を用いることもでき、この場合は撮像回路２からの映像信号を記録し、読み出すときは本実施例処理のためデジタル信号に変換するＡ／Ｄコンバータを設ける。画像合成時には、記録媒体９から図２の（１，１）画像Ｂを読み出しバッファメモリ７に記録される。この画像Ｂは、バッファメモリ７から読み出され、バッファメモリ１０に記録される。このとき、書き込み時と読み出し時で対応する画像位置アドレスを異ならしめることで、画像のずらしを行うことができる。一方、撮像回路２とＡ／Ｄコンバータ３から出力される（１，２）画像Ｃは、バッファメモリ４に一旦記録された後、やはり読み出し時に画像ずらしをうけつつバッファメモリ１０に記録される。ただし、各画像の不要部分は読み出されないとする。このとき、２つに画像は、バッファメモリ１０上で合成され、画像Ｇ（甲または乙）になっている。そして、バッファメモリ１０からは上記画像Ｇが読み出され、Ｄ／Ａコンバータ１１でアナログ信号に変換される。このアナログ信号は電子的モニター手段を構成する表示回路１２に送られ、画像が表示（映出）され、ＥＶＦ１３でユーザによって観察される。尚、バッファメモリ４への書き込み読み出し及びバッファメモリ１０への書き込み読み出しは、この電子撮像装置の同期信号系に同期して、常時、繰り返されるので、撮像回路２からの出力信号はＥＶＦ１３において見かけ上、リアルタイムで観察されるものとする。
　【００１１】システムコントローラ５は、上記バッファメモリ４，７および１０へのデータの書き込み、読み出しの制御、合成すべき画像データ間を比較するデータコンパレータ５２および記録媒体に記録する各種構成データ（マルチモード、サブモード、位置データ等）を発生する構成データ発生器５３を有し、操作部６からの指示情報を受けて、各種制御を行う。データアドレスコントローラ５１は、バッファメモリ４，７および１０のデータの書き込み／読み出し制御を行い、図２のＧに示す如く、画像（１，１）、（１，２）のオーバラップ部を重畳して映出せしめる。そのため、上述の如く、図２Ｅの乙および図２Ｆの乙の画像データを読み出して重畳映出させるべく、バッファメモリ１０への書き込みアドレスを変換する。ここで、バッファメモリ４と７から読み出された画面のうちオーバラップ部分の画像データを単純に加算して映出すると輝度レベルが２倍になってしまうので平均化処理を行ってバッファメモリ１０に書き込む。データコンパレータ５２は、画面（１，１）と（１，２）のオーバラップ部分の画像データを比較し、一致したとき、つまり、両データの差が略零になったときに２つの画面は連続的に接続されたと判断して、オートトリガ信号を出力する。オートトリガ信号が出力されると最適な撮影条件にあると判断されるので、シャッターを切って撮影、記録する。構成データ発生器５３は、画像合成処理モードや位置データ等の構成データを発生する。画像合成処理モードとしては、ハイビジョンモード、パノラマモード、ぞろ目モード、その他の任意のモード等がある。ここで、任意データは当該処理されている合成された画像の中のどの位置にあるかを示す位置データ、例えば、図２Ｂの（１，１）やＣの（１，２）を示している。
　【００１２】以上のように本実施例は、ＥＶＦ表示された合成すべき複数の画面の連続性が維持されたことをデータコンパレータ５２で判断したとき、オートトリガ信号を出力して撮影動作および記録媒体への記録動作を実行せしめる。このとき、撮影時の画面構成データが画像データとともに記録媒体に記録される。また、複数の画面をつなぎ撮りする場合、各画面の撮影条件が異なると合成画面を生成したとき、一部画面が暗くなったりして、全体画面に不自然さが生じる。そこで、本実施例では、合成すべき画面の撮影条件を同一に固定している。この撮影条件としては、シャッター速度、絞り、ストロボ等の露出、ズーム（画角）、フォーカス状態、ホワイトやブラックバランス等のカラーバランス特性、感度、γ特性、ペデスタルレベル設定、サプレス特性、光電変換特性、更にはフィールド、フレーム記録モード等がある。撮影条件は、試し撮りして予め選択することもできるし、１枚目の画面の撮影条件を以降の合成すべき画面の撮影条件に固定することもできる。ここで、固定するとは、マニュアル設定に関しては、設定変更を不可能にするか、警告表示をすることであり、オート設定では上述１枚目の撮影条件に固定することである。
　【００１３】図３は、上記実施例のマルチ撮影、画像合成を行うときの動作処理手順を示すフローチャートである。モード動作スタートすると（ステップＳ１０１）、サブモードが選択される（ステップＳ１０２）。サブモードとしては、前述のようにハイビジョンモード、パノラマモード、ぞろ目モード、任意モードがあり、各モードの選択は、図１の操作部６のキー操作により行われる。ハイビジョンモードは、図６（Ａ）に示すように、Ｘ方向に３画面、Ｙ方向に２画面を合成したモードで最端部の画面位置ＸｍａｘおよびＹｍａｘは２および３、全画面数Ｎｍａｘは６となる。パノラマモードは、同図（Ｂ）に示す如く、Ｘ方向に複数個並べて合成するもので、各画面位置は（１，Ｙ）で表され、全画面数Ｎｍａｘは２以上の任意の数に設定される。ぞろ目モードは、いわゆる相似撮影モードであり、図６（Ｃ）に示す如く、元々の一枚の画面の縦サイズと横サイズの比を一定に保つように、すなわち、縦と横の画面数を同じにして合成するモードで、全画面数Ｎｍａｘは２２，３２，４２，…である。任意モードは、Ｘ方向およびＹ方向に並べる画面数を任意に設定でき、全画面数Ｎｍａｘ＝Ｘｍａｘ×Ｙｍａｘである。図６（Ｄ）には合成画面を構成する各画面位置をＸ，Ｙ座標について示されている。
　【００１４】サブモード選択処理手順は、図５に示すように、サブモード選択動作をスタートし（ステップＳ２０１）、先ず、操作部６からのサブモード選択のためのキー入力があったか否かを判断し（ステップＳ２０２）、キー入力があると、ハイビジョンモードであるか否かが判断される（ステップＳ２０３）。ハイビジョンモードであると判断されると、Ｘｍａｘ＝３、Ｙｍａｘ＝２に設定され（ステップＳ２０９）、図３のステップＳ１０３の処理に移行する。ステップＳ２０３で、ハイビジョンモードでないと判断されると、次に任意モードであるか否かが判断され（ステップＳ２０４）、任意モードであるときにはＸｍａｘとＹｍａｘを入力して（ステップＳ２０８）、リターンして図１のステップＳ１０３に移行する。ステップＳ２０４で任意モードでないと判断されると、合成すべき全画面数Ｎｍａｘを入力し（ステップＳ２０５）、パノラマモードであるか否かが判断される（ステップＳ２０６）。ここで、パノラマモードであると判断されると、Ｘｍａｘ＝Ｎｍａｘ、Ｙｍａｘ＝１と設定して、図１のステップＳ１０３に移行し、パノラマモードでなければ、ぞろ目モードであると判断して、ＸｍａｘおよびＹｍａｘをＮｍａｘの平方根に設定して（ステップＳ２０７）、ステップＳ１０３に移行する。尚、この場合、Ｎｍａｘは平方数でなければならないが、仮にそれ以外の数が入力された場合は、ぞろ目モードであるとの判断と同時にＮｍａｘを近い値の平方数に置換するようにしておけば問題はない。
　【００１５】こうして、合成画面構成が設定された後、図３のステップＳ１０３において、トリガ入力を受け付けたことを確認して（ステップＳ１０３）、１枚目の画面（（Ｘ，Ｙ）＝（１，１））を撮影、記録する（ステップＳ１０４）。その後、この１枚目の上記撮影条件に以後の撮影条件を固定し（ステップＳ１０５）、画面位置データ（Ｘ，Ｙ）が最終コマ画面位置データ（Ｘｍａｘ，Ｙｍａｘ）に至ったか否かを判断し（ステップＳ１０６）、至っていればステップＳ１０５で固定設定された撮影条件を解除して（ステップＳ１１３）、処理を終了する。一方、ステップＳ１０６で、最終コマ画面位置に至っていないと判断されると、Ｙ＝Ｙｍａｘか否かが判断され（ステップＳ１０７）、ＹｍａｘでなければＹを１だけ増加せしめ（ステップＳ１０８）、また、Ｙ＝Ｙｍａｘであれば、Ｘを１だけ増加せしめると同時にＹを１にリセットする。そして、次の画面についての合成処理用にブランキング部分の重ね合わせを行うため、同期、ブランキングを再設定する（ステップＳ１０９）。その後、両画面が連続的に接続されたと判断されたことを確認したら（ステップＳ１１０）、撮影、記録動作を行った後（ステップＳ１１１）、ステップＳ１０６の処理に戻る。ステップＳ１１０において、隣接画面が連続的に接続されていることの判断は、ユーザがＥＶＦを観察して行うこともできるが、図４に示すように、ＥＶＦによる確認によりトリガを出力させた状態で、図１のシステムコントローラ５内のデータコンパレータ５２からの画像データの一致確認出力を受けた時に（ステップＳ１１０Ａ）、ステップＳ１１１の撮影、記録処理を実行することもできる。かかる手順のように、人間の撮影意志（トリガー操作）下で、電気処理による自動判断を用いることにより、精度及び操作性（簡便さ）が格段に向上する。
　【００１６】図７は、本発明により撮影、記録された画像データをハイビジョン形式で再生する装置の一例を示す図である。メモリカードのような記録媒体から読み出された画像データは、ＮＴＳＣ対応メモリカードインタフェース７１で所定のフォーマットのデータに変換され、画像データがハイビジョン用フレームメモリ７３に、画像アドレスデータがアドレスコンバータ７２に、構成データがデータデコーダ７４にそれぞれ供給される。データデコーダ７４でデコードされた構成データは、システムコントローラ７５に送出される。アドレスコンバータ７２は、インタフェース７１から送出される画像アドレスをハイビジョン用フレームメモリ７３に記録するアドレス（マルチ合成画面上のアドレス）に変換する。システムコントローラ７５は、データデコーダ７４からの構成データを受け、ハイビジョン用フレームメモリ７３に対する読み、書きコントロール信号を出力する。ハイビジョン用フレームメモリ７３には、図６（Ａ）に示すような６枚の画面データが記録され、読み出し時にはハイビジョン画面が読み出し出力される。このように、図７に示すような再生装置では、合成画像の各画面の位置情報に基づいて、ハイビジョン用フレームメモリ７３に記録して、ハイビジョン用の画像を自動的に再生している。
　【００１７】記録媒体が磁気ディスクのようにアナログ信号を記録する媒体のときの画像合成の構成ブロック図が図８に示されている。信号発生（ＳＳＧ）回路８１からは、同期信号Ｓ１とＳ２が撮像回路８２と録再回路８３に、ブランキング信号ＢＬ１とＢＬ２がブランキング回路８４と８５にそれぞれ供給される。撮像回路８２から得られた画像データは、録再回路８３の記録媒体に記録されるとともに、ブランキング回路８４でブランキング信号ＢＬ１に基づいてブランキングをかけられる。録再回路８３から得られる記録済みの画像データは、ブランキング回路８５でブランキング信号ＢＬ２に基づいてブランキングがかけられる。ブランキング回路８４と８５でブランキングがかけられた画像データは、混合回路８６で混合されて、切換スイッチ８７に送出される。切換スイッチ８７の他の２入力端子には、撮像回路８２からの画像データと、録再回路８３からの画像データが供給されている。切換スイッチ８７で切り換え選択された画像データが信号発生回路８１からの同期信号Ｓ０に基づいてＥＶＦ８８に映出される。図２に示すような２枚の画面を合成することを考える。通常時は、Ｓ１＝Ｓ０、Ｓ２＝Ｓ０、ＢＬ１＝ＢＬ２＝ＯＦＦ状態にある。合成時には、Ｓ１＝Ｓ０＋Ｈ／２＋ＯＢＬ（ここで、ＯＢＬは２枚の画面の重畳部でブランキング部を示す）、Ｓ２＝Ｓ０＋Ｈ／２−ＯＢＬ、ＢＬ１は右側ブランキングＯＮ、ＢＬ２は左側ブランキングＯＮである。
　【００１８】この（図８に対応する）実施例では、図２を例に引いて、モニター上の同一画面上に２つの画面（２コマ）を映出する場合について説明しているが、２コマ以上の任意の数の画面を映出、合成する場合にも本発明を適用できることは勿論である。さて、以上全ての実施例に関して、画面構成データを記録媒体に記録するに際して、特に他のデータに悪影響を及ぼすことはなく、従来から用いられているフィールド／フレーム識別やコマナンバーデータ等と両立することも勿論である。尚、上述実施例では、記録媒体に画像データを記録する際、直交変換等の処理を施して情報を圧縮したり、逆に記録媒体から圧縮データを伸張した元のデータを再生する圧伸処理は、省略してあるが、必要に応じ用い得ることは明らかである。
　【００１９】
　【発明の効果】以上説明したように、本発明による
画像合成
可能な電子カメラ
、記録を予定した合成表示画像全体の構成要素たる各画像に対応する画像信号を着脱可能な記録媒体に記録するに際し、各画像を合成して表示するときに合成表示画像全体における位置を設定するための情報を合わせ記録するように
とともに各画像を合成表示する機能を有する他の装置に、該記録媒体を装着して使用する場合でも良好な合成表示画像を得ることができる。
【図面の簡単な説明】
　【図１】本発明による画像合成
撮影可能な電子カメラ
　【図２】本発明の実施例の動作を説明するための図である。
　【図３】本発明の実施例の動作処理手順を示すフローチャートである。
　【図４】図３の処理における一部処理手順の他の例を示すフローチャートである。
　【図５】図３の処理におけるサブモード選択の動作処理手順を示すフローチャートである。
　【図６】サブモードの合成画面の位置関係を示す図である。
　【図７】本発明を適用して記録した記録媒体から読み出した画像データを用いてハイビジョン画像データを再生する装置のブロック図である。
　【図８】本発明において記録媒体を磁気ディスクを用いたときの画像再生装置の構成を示すブロック図である。
　【図９】合成画面の例としてのマルチ撮影画面とパノラマ撮影画面の例を示す図である。
　【符号の説明】
　１　撮影レンズ
　２，８２　撮像回路
　３　コンパレータ
　４，７，１０　バッファメモリ
　５，７５　システムコントローラ
　６　操作部
　８　記録／再生回路
　９　記録媒体
　１１　Ｄ／Ａコンバータ
　１２　表示回路
　１３，８８　ＥＶＦ
　５１　データアドレスコントローラ
　５２　データコンパレータ
　５３　構成データ発生回路
　７１　メモリカードインタフェース
　７２　アドレスコンバータ
　７３　ハイビジョン用フレームメモリ
　７４　データデコーダ
　８１　信号（ＳＳＧ）発生回路
　８３　録再回路
　８４，８５　ブランキング回路
　８６　混合回路
　８７　切換スイッチ